(57)【要約】【目的】  インターフェイスが消費する電力を極力少なくすることができるインターフェイスを備えた機器を提供する。【構成】  電力供給スイッチ１１は、インターフェイス８の動作に必要な電力の供給と停止をＣＰＵ５からのＯＮ／ＯＦＦ指令に従って実行する。検出部１２は、外部機器１０が装着部９に装着されたかどうかを前記ＣＰＵ５に通知する。ＣＰＵ５は、前記検出部１２から前記外部機器１０が装着されたことを示す検出信号を受け取っていない状態では、電力供給スイッチ１１に対してＯＦＦ信号を出しており、インターフェイス８へはその動作に必要な電力の供給は行われていない。一方、ＣＰＵ５は、前記検出部１２から前記外部機器１０が装着されていることを示す検出信号を受け取っている状態では、電力供給スイッチ１１に対してＯＮ信号を出すので、インターフェイス８へはその動作に必要な電力の供給が行われる。【選択図】        図１
2007034548.tif 000002
【特許請求の範囲】
【請求項１】
外部機器が装着される装着部及び装着された外部機器と自機ＣＰＵとの接続を行うインターフェイスを備えた機器において、前記インターフェイスへの電力の供給及び停止を行う電源制御手段と、前記外部機器が前記装着部に装着されたかどうかを示す信号を前記ＣＰＵに与える検出手段と、を備えており、前記ＣＰＵは、前記外部機器が前記装着部に装着されていないことを示す信号を前記検出手段から得たときには前記インターフェイスへの電力供給を停止させる信号を前記電源制御手段に与える一方、前記外部機器が前記装着部に装着されたことを示す信号を前記検出手段から得たときには前記インターフェイスへの電力供給を行わせる信号を前記電源制御手段に与えるように構成されたことを特徴とするインターフェイスを備えた機器。
【請求項２】
請求項１に記載のインターフェイスを備えた機器において、前記装着部はコネクタから成り、このコネクタが前記検出手段を具備することを特徴とするインターフェイスを備えた機器。
【請求項３】
請求項１に記載のインターフェイスを備えた機器において、前記装着部には前記外部機器へ電力供給を行う電力供給ラインが設けられており、前記検出手段は、前記外部機器が前記装着部に装着されて電力供給を受けることで生じる当該外部機器の信号端子の電圧状態を検出することによって当該外部機器の装着を検出することを特徴とするインターフェイスを備えた機器。
【請求項４】
請求項１乃至請求項３のいずれかに記載のインターフェイスを備えた機器において、画像を表示するためのディスプレイを備えたことを特徴とするインターフェイスを備えた機器。
【請求項５】
請求項４に記載のインターフェイスを備えた機器において、前記ディスプレイの画面上で前記インターフェイスへの電力を供給するか又は停止するかを問うユーザー設定画面を表示する手段を備え、前記ＣＰＵは、ユーザーによる前記設定画面上での操作に基づいて前記インターフェイスへ電力を供給するか又は停止することを特徴とするインターフェイスを備えた機器。
【請求項６】
請求項４に記載のインターフェイスを備えた機器において、前記ディスプレイの画面上で、前記外部機器の装着の有無に基づく前記インターフェイスへの電力の供給制御を行うか否かを問うユーザー設定画面を表示する手段を備え、前記ＣＰＵは、ユーザーによる前記設定画面上での操作に基づいて前記供給制御を有効又は無効にすることを特徴とするインターフェイスを備えた機器。
【請求項７】
請求項４乃至請求項６に記載のインターフェイスを備えた機器において、前記インターフェイスによる前記外部機器と前記ＣＰＵとの信号送受でエラーが生じたときには、前記ＣＰＵは、前記インターフェイスへの電力供給を停止するとともに、前記ディスプレイに前記外部機器の再装着を促すメッセージを表示することを特徴とするインターフェイスを備えた機器。
【請求項８】
請求項４乃至請求項７のいずれかに記載のインターフェイスを備えた機器において、アナログテレビ放送及び／又はディジタルテレビ放送を受信する機能を備えたことを特徴とするインターフェイスを備えた機器。
【発明の詳細な説明】
【技術分野】
【０００１】
この発明は、インターフェイスを備えた機器に関し、例えば、ディジタル放送受信装置として利用される。
【背景技術】
【０００２】
ディジタル放送を受信するには、コンディショナルアクセス（ＣＡ）システムカードと呼ばれるＩＣカードを放送受信装置に装着する必要がある。このため、放送受信装置には、前記ＩＣカードと装置内ＣＰＵとの接続を図るためのインターフェイスが設けられる。また、近年においては、外部機器（周辺機器）の多様化に伴い、各種のインターフェイスが受信装置に組み込まれることが多くなっている。特に、ディジタル放送受信装置に映像データを供給するために、外部機器としてメモリカードやＵＳＢ機器（ディジタルカメラ等）など用のインターフェイスが設けられる（特許文献１参照）。従来のディジタル放送受信装置のブロック図を図３に示している。各機能ブロックの内容については、後で記述するこの発明の実施形態において説明される。
【０００３】
【特許文献１】特開２００５−１７５５５９号公報
【発明の開示】
【発明が解決しようとする課題】
【０００４】
しかしながら、従来においては、放送受信装置がＯＮされると前記インターフェイスへは常時電力が供給される。
【０００５】
この発明は、上記の事情に鑑み、インターフェイスが消費する電力を極力少なくすることができるインターフェイスを備えた機器を提供することを目的とする。
【課題を解決するための手段】
【０００６】
この発明のインターフェイスを備えた機器は、上記の課題を解決するために、外部機器が装着される装着部及び装着された外部機器と自機ＣＰＵとの接続を行うインターフェイスを備えた機器において、前記インターフェイスへの電力の供給及び停止を行う電源制御手段と、前記外部機器が前記装着部に装着されたかどうかを示す信号を前記ＣＰＵに与える検出手段と、を備えており、前記ＣＰＵは、前記外部機器が前記装着部に装着されていないことを示す信号を前記検出手段から得たときには前記インターフェイスへの電力供給を停止させる信号を前記電源制御手段に与える一方、前記外部機器が前記装着部に装着されたことを示す信号を前記検出手段から得たときには前記インターフェイスへの電力供給を行わせる信号を前記電源制御手段に与えるように構成されたことを特徴とする。
【０００７】
上記の構成であれば、前記外部機器が前記装着部に装着されていないときには前記インターフェイスへの電力供給が停止させられるので、インターフェイスへが消費する電力を極力少なくすることができる。
【０００８】
上記構成のインターフェイスを備えた機器において、前記装着部はソケットから成り、このソケットが前記検出手段を具備することとしてもよい。或いは、前記装着部には前記外部機器へ電力供給を行う電力供給ラインが設けられており、前記検出手段は、前記外部機器が前記装着部に装着されて電力供給を受けることで生じる当該外部機器の信号端子の電圧状態を検出することによって当該外部機器の装着を検出することとしてもよい。
【０００９】
これら構成のインターフェイスを備えた機器において、画像を表示するためのディスプレイを備えていもよい。上記ディスプレイを備える構成において、前記ディスプレイの画面上で前記インターフェイスへの電力を供給するか又は停止するかを問うユーザー設定画面を表示する手段を備え、前記ＣＰＵは、ユーザーによる前記設定画面上での操作に基づいて前記インターフェイスへ電力を供給するか又は停止することとしてもよい。或いは、前記ディスプレイの画面上で、前記外部機器の装着の有無に基づく前記インターフェイスへの電力の供給制御を行うか否かを問うユーザー設定画面を表示する手段を備え、前記ＣＰＵは、ユーザーによる前記設定画面上での操作に基づいて前記供給制御を有効又は無効にすることとしてもよい。
【００１０】
これらディスプレイを備える構成において、前記インターフェイスによる前記外部機器と前記ＣＰＵとの信号送受でエラーが生じたときには、前記ＣＰＵは、前記インターフェイスへの電力供給を停止するとともに、前記ディスプレイに前記外部機器の再装着を促すメッセージを表示することとしてもよい。また、これらディスプレイを備える構成において、アナログテレビ放送及び／又はディジタルテレビ放送を受信する機能を備えていてもよい。
【発明の効果】
【００１１】
以上説明したように、この発明によれば、前記外部機器が前記装着部に装着されていないときには前記インターフェイスへの電力供給が停止させられるので、インターフェイスへが消費する電力を極力少なくすることができる。
【発明を実施するための最良の形態】
【００１２】
以下、この発明の実施形態を図１及び図２に基づいて説明するが、ここではインターフェイスを備えた機器としてディジタル放送受信装置２０を例示する。図１はディジタル放送受信装置２０の構成を示したブロック図である。なお、説明の便宜上、図１及び図３において共通する機能ブロックには同一の符号を付記している。
【００１３】
図１において、アンテナ１は、屋外において所定の方向に向けて配置されており、衛星や地上波放送局から送られてくるディジタル放送信号を受信する。
【００１４】
チューナ２は、映像・音声データを含む高周波ディジタル変調信号のうちから特定周波数の信号を取り出す。また、チューナ２は、復調回路、逆インタリーブ回路、誤り訂正回路などを備えることにより、選択したディジタル変調信号を復調してトランスポートストリームを出力する。
【００１５】
ＴＳデコーダ３は、前記トランスポートストリームを、ＭＰＥＧ２（Ｍｏｖｉｎｇ  Ｐｉｃｔｕｒｅ  Ｅｘｐｅｒｔｓ  Ｇｒｏｕｐ２）のビデオストリーム、オーディオストリーム、およびＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）等に分離する。ＴＳデコーダ３は、ビデオストリームとオーディオストリームをＡＶデコーダ４に供給し、ＰＳＩ／ＳＩに含まれる番組関連情報等をＣＰＵ５に供給する。
【００１６】
前記ＡＶデコーダ４は、ビデオストリームに対してデコードを行うビデオデコーダ、及びオーディオストリームに対してデコードを行うオーディオデコーダを備える。ビデオデコーダは、入力された符号化信号を復号して量子化係数や動きベクトルを求め、逆ＤＣＴ変換や動きベクトルに基づく動き補償制御等を行う。オーディオデコーダは、入力された符号化信号を復号して音声データを生成する。デコードにより生成された映像データは図示しない映像処理回路を経て映像信号化され、図示しないディスプレイ上には受信映像が表示される。音声データは図示しない音声処理回路を経て音声信号化され、図示しないスピーカから受信音声が出力される。
【００１７】
ユーザーＩ／Ｆ（インターフェイス）部６は、ディジタル放送受信装置２０のに設けられたボタンやリモコン受光器などから成る。図示しないリモコン送信機に設けられたキーを操作すると、そのキーに対応した指令を意味する信号光（リモコン信号）が発光部から送出される。前記リモコン受光器は、前記信号光を受光し、これを電気信号に変換してＣＰＵ５に与える。
【００１８】
メモリ（ＲＡＭ、ＥＥＰＲＯＭ、フラッシュメモリ等）７には、ＥＰＧ画面などを表示するための番組関連情報、メッセージ表示用のデータ、メニュー画面表示用のデータ、ユーザーにより設定されたデータなどが格納される。
【００１９】
外部機器用のインターフェイス８は、インターフェイスＬＳＩ、発振器、及びドライバＩＣなどから成り、装着された外部機器と自機ＣＰＵ５との接続を行う。なお、インターフェイス８としては、各種のインターフェイスが該当するが、この実施形態では、ＣＡカード用のインターフェイス、ＳＤカード用のインターフェイス、ＵＳＢ（ユニバーサル・シリアル・バス）機器用のインターフェイスが例示される。
【００２０】
電力供給スイッチ１１は、前記インターフェイス８の動作に必要な電力の供給と停止をＣＰＵ５からのＯＮ／ＯＦＦ指令に従って実行する。
【００２１】
検出部１２は、外部機器（図では、カードを例示している）１０が装着部９に装着されたかどうかを前記ＣＰＵ５に通知する。例えば、外部機器であるＣＡカードが装着部９内に挿入される構造であるとすると、前記装着部９の底部（奥部）などに前記ＣＡカードの押圧でＯＮする比較的小さなスイッチを設けるとすれば、このスイッチが検出部１２となる。また、装着部９が例えばＳＤカード用コネクタであれば、当該コネクタにカード挿入有無検出機構スイッチが設けられているタイプが存在するので、このようなタイプのコネクタを装着部９に用いることができる。また、外部機器が放送受信装置２０から電力供給を受けるタイプである場合、前記装着部９には外部機器へ電力供給を行う電力供給ラインが設けられる。この場合、検出部１２は、前記外部機器が前記装着部９に装着されて電力供給を受けることで生じる当該外部機器の信号端子の電圧状態を検出することで当該外部機器の装着を検出することもできる。かかる構成については、ＵＳＢを例に後で詳述する。
【００２２】
前記ＣＰＵ５は、このディジタル放送受信装置２０における全体制御を行うものであるが、特にこの発明にかかる制御として、インターフェイス８への電力供給に関する制御も実行する。また、ＣＰＵ５は、図示しないＯＳＤ（オンスクリーン・ディスプレイ）回路や加算部を備えている。このＯＳＤ回路は画像出力しようとする文字情報や色情報に基づく映像データを前記加算部に出力する。前記加算部は前記映像データをＡＶデコーダ４から出力される受信映像データに組み込む処理を行う。上記ＯＳＤ回路により、ＣＰＵ５が受け取った番組関連情報に基づくＥＰＧ（Ｅｌｅｃｔｒｏｎｉｃ  Ｐｒｏｇｒａｍ  Ｇｕｉｄｅ）表示、メッセージ表示、メニュー画面表示などが行える。
【００２３】
ＣＰＵ５は、例えばその汎用ポート（常時モニターが可能なポーリング設定の端子でもよいし、信号のエッジセンス機能或いはレベルセンス機能を備えた割り込み設定の端子でもよい）に検出部１２からの信号を受け取る。なお、検出部１２は例えば電圧変換回路を備えることでＣＰＵ５に接続可能な信号レベルの検出信号を生成する。ＣＰＵ５は、前記検出部１２から前記外部機器１０が装着されたことを示す検出信号を受け取っていない状態では、電力供給スイッチ１１に対してＯＦＦ信号を出しており、このため、インターフェイス８へはその動作に必要な電力の供給は行われていない。一方、ＣＰＵ５は、前記検出部１２から前記外部機器１０が装着されていることを示す検出信号を受け取っている状態では、電力供給スイッチ１１に対してＯＮ信号を出す。これにより、インターフェイス８へはその動作に必要な電力の供給が行われる。インターフェイス８は電力供給を受けることで、起動シーケンスを実行し、ＣＰＵ５の制御の下、前記装着された外部機器１０との間で情報の送受を実行する。
【００２４】
なお、ＣＡカードが装着されていないときには、スクランブルがかけられている放送の視聴を行うことはできない。ユーザーは、例えば、ディジタル放送の受信可能エリア外であるために専らアナログ放送を視聴するのであれば、ＣＡカードを抜き取ってそれ用のインターフェイスの電力消費を止めて節電を図ることができる。
【００２５】
図２にはＵＳＢ機器に適用できる検出回路１２の具体的構成例を示している。先にも述べたが、外部機器１０が放送受信装置２０から電力供給を受けるタイプである場合、前記装着部９には外部機器１０へ電力供給を行う電力供給ラインが設けられる。ＵＳＢ機器が放送受信装置２０から電力供給を受けると、ＵＳＢ機器の信号ラインにおけるＤＰ端子はhighレベルとなり、ＤＮ端子はlow レベルとなる。ＵＳＢ機器が放送受信装置２０から電力供給を受け取っていない状態では、ＵＳＢ機器の信号ラインにおけるＤＰ端子及びＤＮ端子はともにlow レベルである。検出回路１２におけるスレッショルド電圧のレベルは、前記highとlow の中間的な電圧値である。
【００２６】
ＤＰ端子及びＤＮ端子がともにlow レベルである場合、コンパレータ３１，３２の出力はlow レベルであり、トランジスタＴｒ１，Ｔｒ２はともにＯＦＦとなる。従って、アンド回路３４の一方の入力端子にはhighレベルが印加され、他方の入力端子には反転回路３３によってlow レベルが印加される。このため、アンド回路３４の出力はlow レベルとなり、ＣＰＵ５の前記ポートにはlow レベルが印加される。ＣＰＵ５は前記ポートにlow レベルが印加されているとき、外部機器１０は装着されていないと判断する。
【００２７】
ＵＳＢ機器が装置２０に装着されると、ＵＳＢ機器の信号ラインにおけるＤＰ端子はhighレベルとなり、ＤＮ端子はlow レベルとなる。このとき、コンパレータ３１の出力はlow レベルであり、コンパレータ３２の出力はhighレベルである。よって、トランジスタＴｒ１はＯＮし、トランジスタＴｒ２はＯＦＦとなる。従って、アンド回路３４の一方の入力端子にはhighレベルが印加され、他方の入力端子にも反転回路３３によってhighレベルが印加される。このため、アンド回路３４の出力はhighレベルとなり、ＣＰＵ５の前記ポートにはhighレベルが印加される。ＣＰＵ５は、前記ポートにhighレベルが印加されているとき、外部機器は装着されていると判断する。
【００２８】
図２に示した検出回路１２はＬＡＮカードなどの装着検出にも用いることが可能である。
【００２９】
ここで、ＣＰＵ５がインターフェイス８を介して外部機器との信号送受を行っているとき（インターフェイス８の動作中）において、ユーザーによって外部機器１０が取り外されてしまう事態もありうる。この場合、ＣＰＵ５は、電力供給スイッチ１１に対してＯＦＦ指令を出す。ただし、外部機器１０の取り外し直後にＯＦＦ指令を出すのではなく、タイマー機能にて一定時間後（例えば、３０秒後）にＯＦＦ指令を出すようにしてもよい。
【００３０】
ＣＰＵ５はインターフェイス８を介した外部機器１０との信号送受において、何らかの原因でエラーが生じたときにも、電力供給スイッチ１１に対してＯＦＦ指令を出すようにしてもよい。ＣＰＵ５が電力供給スイッチ１１に対してＯＦＦ指令を出した場合、インターフェイス８への電力の供給は停止される。ＣＰＵ５は、上記ＯＦＦ指令とともにそのＯＳＤ機能にて前記外部機器１０との接続状態が不良になった旨及び一旦外部機器を外して再度装着することを促すメッセージをディスプレイに表示する。このメッセージに促されてユーザーが外部機器１０を装着しなおすと、前記検出部１２から外部機器１０が装着されたことを示す検出信号をＣＰＵ５が受け取って電力供給スイッチ１１に対してＯＮ指令を出すことになる。
【００３１】
また、ＣＰＵ５はそのＯＳＤ機能を用いてメニュー画面を表示することができる。このメニュー画面には、例えば、「ＵＳＢ用インターフェイスへの電力供給の停止制御を実行する  ＹＥＳ  ＮＯ」、「メモリカード用インターフェイスへの電力供給の停止制御を実行する  ＹＥＳ  ＮＯ」などの項目が表示される。ユーザーはリモコン送信機の十字キー（方向キー）を用いてカーソルを「ＹＥＳ」又は「ＮＯ」の箇所に移動させて決定ボタンを押す。ＣＰＵ５は、「ＹＥＳ」の箇所にカーソルが位置する状態で決定ボタンの押下を検出すると、前述した検出部１２の検出結果に基づく制御を実行する。一方、「ＮＯ」の箇所にカーソルが位置する状態で決定ボタンの押下を検出すると、放送受信装置２０のＯＮ時には常にインターフェイス８への電力供給を行う。すなわち、前述した検出部１２の検出結果に基づく電力供給制御を実行するか、それとも常時インターフェイス８への電力供給を行うかをユーザーが選択できるようにしてもよい。
【００３２】
また、メニュー画面には、例えば、「ＵＳＢ用インターフェイスへの電力供給を停止する  ＹＥＳ  ＮＯ」、「メモリカード用インターフェイスへの電力供給を停止する  ＹＥＳ  ＮＯ」などの項目を表示させてもよい。ＣＰＵ５は、「ＹＥＳ」の箇所にカーソルが位置する状態で決定ボタンの押下を検出すると、前述した検出部１２の検出結果にかかわらず、電力供給スイッチ１１に対してＯＦＦ指令を出す。この場合、たとえ外部機器が装着部９に装着されたとしてもインターフェイス８への電力供給は行われない。インターフェイス８への電力供給を実行させたいときには、前記メニュー画面を呼び出して「ＮＯ」を選択することになる。
【００３３】
なお、以上の説明において、インターフェイスを備えた機器としてディジタル放送受信装置を示したが、このディジタル放送受信装置の他、パーソナルコンピュータ（放送受信機能を具備又は具備可能な構造を含む）などもインターフェイスを備えた機器に含まれる。
【図面の簡単な説明】
【００３４】
【図１】この発明の実施形態のディジタル放送受信装置を示したブロック図である。
【図２】検出部の具体例を示した回路図である。
【図３】従来のディジタル放送受信装置を示したブロック図である。
【符号の説明】
【００３５】
１    アンテナ
２    チューナ
３    ＴＳデコーダ
４    ＡＶデコーダ
５    ＣＰＵ
８    インターフェイス
１０  外部機器
１１  電力供給スイッチ
１２  検出部
【図１】
2007034548.tif 000003
【図２】
2007034548.tif 000004
【図３】
2007034548.tif 000005